(57)【要約】【課題】この発明は、移動車両に設置される無線カード表示装置において、無線カードとの距離が安定しない場合であっても、無線カードの内容を見易い状態で表示できる。【解決手段】この発明は、処理の途中で無線カードの記録内容を表示する必要がある際に、無線カードリーダライタによる無線カードとの無線の電界強度の変化を取り込み、その電界強度のレベルが表示可能レベル以下となったか否かを所定時間（たとえば１秒）ごとに判断し、電界強度のレベルが表示可能レベル以上の際には、表示を保持し、電界強度のレベルが表示可能レベル以下の際には、表示を消すようにしたものである。【選択図】  図２
2004213086.tif 000002
【特許請求の範囲】
【請求項１】
交通機器に用いられ、乗車履歴や残額などの記録情報を保持する無線カードに対して無線により電源を供給する供給手段と、
この供給手段による電源供給に基づいて無線カードから発信された上記記録情報を無線により抽出する抽出手段と、
この抽出手段により抽出された上記記録情報を表示する表示手段と、
上記表示手段により上記記録情報を表示している際に、上記供給手段による無線の強度を判断する判断手段と、
この判断手段により無線の強度が第１の所定値より低下した際、上記表示手段による表示を保持し、上記判断手段により無線の強度が第１の所定値よりも低い第２の所定値以下に低下した際、上記表示手段による表示を消去する処理手段と、
を具備したことを特徴とする無線カード表示装置。
【請求項２】
交通機器に用いられ、乗車履歴や残額などの記録情報を保持する無線カードに対して無線により電源を供給する供給手段と、
この供給手段による電源供給に基づいて無線カードから発信された上記記録情報を無線により抽出する抽出手段と、
この抽出手段により抽出された上記記録情報を表示する表示手段と、
上記表示手段により上記記録情報を表示している際、所定時間ごとに、上記供給手段による無線の強度を判断する判断手段と、
この判断手段により無線の強度が所定値よりも大きい際に、上記表示手段による表示を保持し、上記判断手段により無線の強度が上記所定値以下に低下した際、上記表示手段による表示を消去する処理手段と、
を具備したことを特徴とする無線カード表示装置。
【請求項３】
交通機器に用いられ、乗車履歴や残額などの記録情報を保持する無線カードに対して無線により電源を供給し、
この電源供給に基づいて無線カードから発信された上記記録情報を無線により抽出し、
この抽出された上記記録情報を表示し、
この記録情報を表示している際に、上記無線の強度を判断し、
この判断した無線の強度が第１の所定値より低下した際、上記表示を保持し、上記無線の強度が第１の所定値よりも低い第２の所定値以下に低下した際、上記表示を消去する、
ことを特徴とする無線カードの表示方法。
【請求項４】
交通機器に用いられ、乗車履歴や残額などの記録情報を保持する無線カードに対して無線により電源を供給し、
この電源供給に基づいて無線カードから発信された上記記録情報を無線により抽出し、
この抽出された上記記録情報を表示し、
この記録情報を表示している際、所定時間ごとに、上記無線の強度を判断し、
この判断した無線の強度が所定値よりも大きい際に、上記表示を保持し、上記無線の強度が上記所定値以下に低下した際、上記表示を消去する、
ことを特徴とする無線カードの表示方法。
【発明の詳細な説明】
【０００１】
【発明の属する技術分野】
この発明は、交通機器に用いられ、乗車履歴や残額などの記録情報を保持する無線カードの保持内容を表示する無線カード表示装置と無線カードの表示方法に関する。
【０００２】
【従来の技術】
現在、自動改札機の普及に伴い、定期券や金額（ＳＦ：ストアードフェア）券を無線カード化して利用客の利便性向上を目的として、無線カード対応改札機と無線カードが開発され、実用化されている。
【０００３】
上記無線カードは、長期の使用に耐えるためバッテリレス方式が採用されており、定期券等の目視情報はリライタブル印刷方式が採用されており、乗車区間、通用期限等が表面に印刷され、同じ情報を無線カード内の制御チップ（ＣＰＵ、メモリ、通信回路、電源生成回路で構成）に記録している。
【０００４】
改札機通過時には、改札機の上部に設けられた通信アンテナと無線カード間で通信が行われ（このとき通信波により、カード内で必要な電力を生成している）、改札機にてカード内情報を比較判定し、入出場の可否を判定している。
【０００５】
また、現在使用されている金額（ＳＦ）券も無線カード化して、無線カード内にチャージ（蓄積、課金）した金額から出場時に乗車区間分の金額を差し引いて処理を行うことも同時に進められている。
【０００６】
なお、カード１枚の中に定期券情報と金額（ＳＦ）券情報を持たせる方法も考えられている。
このような無線カードでは、自動改札機、自動券売機、自動精算機といった機器を通して、乗車履歴や残額等の記録情報を参照することができる。（特許文献１、２参照）
【０００７】
しかし、自動改札機、自動券売機、自動精算機といった機器の設置場所や利用機会は限られており、無線カードの内容を参照したいときに参照できない場合が多い。
そこで、無線カードの内容を表示する無線カード表示装置を移動車両に設置することにより、無線カードの内容を参照できるものが提案されている。
しかしこのような移動車両に設置される無線カード表示装置において、車両のゆれ等により、無線カードとの距離が安定しないため、表示がちらつき見難いものとなってしまうという問題がある。
【０００８】
【特許文献１】
特開２００１−１３４７９１号公報
【特許文献２】
特開２００２−１９７７４８号公報
【０００９】
【発明が解決しようとする課題】
この発明は、移動車両に設置される無線カード表示装置において、無線カードとの距離が安定しない場合であっても、無線カードの内容を見易い状態で表示できる。
【００１０】
【課題を解決するための手段】
この発明の無線カード表示装置は、交通機器に用いられ、乗車履歴や残額などの記録情報を保持する無線カードに対して無線により電源を供給する供給手段と、この供給手段による電源供給に基づいて無線カードから発信された上記記録情報を無線により抽出する抽出手段と、この抽出手段により抽出された上記記録情報を表示する表示手段と、上記表示手段により上記記録情報を表示している際に、上記供給手段による無線の強度を判断する判断手段と、この判断手段により無線の強度が第１の所定値より低下した際、上記表示手段による表示を保持し、上記判断手段により無線の強度が第１の所定値よりも低い第２の所定値以下に低下した際、上記表示手段による表示を消去する処理手段とから構成される。
【００１１】
この発明の無線カード表示装置は、交通機器に用いられ、乗車履歴や残額などの記録情報を保持する無線カードに対して無線により電源を供給する供給手段と、この供給手段による電源供給に基づいて無線カードから発信された上記記録情報を無線により抽出する抽出手段と、この抽出手段により抽出された上記記録情報を表示する表示手段と、上記表示手段により上記記録情報を表示している際、所定時間ごとに、上記供給手段による無線の強度を判断する判断手段と、この判断手段により無線の強度が所定値よりも大きい際に、上記表示手段による表示を保持し、上記判断手段により無線の強度が上記所定値以下に低下した際、上記表示手段による表示を消去する処理手段とから構成される。
【００１２】
【発明の実施の形態】
以下、図面を参照してこの発明の実施形態を説明する。
図１は、この発明に係る無線カード（無線式記録媒体、無線式乗車券）Ａの概略構成を示している。
この無線カードＡは、鉄道等の交通機関で用いられる普通乗車券、定期券、金額券、回数乗車券等であり、クレジットカードと同一サイズで形成されている。
【００１３】
上記無線カードＡは、図１に示すように、カード本体１内に設けられている通信アンテナ２とＩＣチップ３により形成されている。
上記ＩＣチップ３は、全体的な制御を司るＣＰＵ４、ＣＰＵ４の制御プログラム、改札情報としての定期券情報とＳＦ残額、ＩＤ番号などを記録するメモリ部５、上記通信アンテナ２を用いて図示しない自動改札装置あるいは無線カード表示装置Ｂとの間で種々の情報の送受信を行う通信制御回路６、通信アンテナ２の受信波により電力を生成する電源部７等で構成されている。
【００１４】
無線カード表示装置Ｂは、図２に示すように、無線カードＡが接近した際にその記録内容を表示するものである。
無線カード表示装置Ｂは、図２に示すように、無線アンテナ１０を内蔵する無線カードリーダライタ１１、表示器１２、ＣＰＵ１３、表示メモリ１５から構成されている。無線カードリーダライタ１１により読み書きされる媒体としては、近接型の無線カードＡを使用する。また、ＣＰＵ１３には必要に応じてキーボード１４を接続する場合がある。
【００１５】
無線カードリーダライタ１１は無線カードＡとの通信を司るもので、利用者がこの無線アンテナ１０の近くまで無線カードＡを近付けることにより、無線カードＡ内のＩＣチップ３の情報（例えば改札の入出場情報）を読み取ったり書き込むことができる。
【００１６】
ＣＰＵ１３は、無線カードリーダライタ１１やキーボード１４からの入力データを基に、表示用の情報を作成したり、内のＩＣチップ３に対する更新データ（例えば履歴閲覧済みフラグ情報）の作成に、使用される。
【００１７】
ＣＰＵ１３は、無線カードリーダライタ１１の無線アンテナ１０による無線カードＡとの無線の電界強度の変化を取り込み、その電界強度のレベルが表示可能レベル以下となったか否かを所定時間（たとえば１秒）ごとに判断するものである。この判断結果により、ＣＰＵ１３は、電界強度のレベルが表示可能レベル以上の際には、表示を保持し、電界強度のレベルが表示可能レベル以下の際には、表示を消すようになっている。
【００１８】
これにより、電車のゆれ等で、無線アンテナ１０に翳している無線カードＡの距離が離れた場合でも（所定時間（たとえば１秒）以下のレベル低下）、表示が不安定とならず、無線カードＡの内容を見易い状態で表示できる。
また、別な例として、ＣＰＵ１３は、上記電界強度のレベルが表示可能レベル以下と、さらに低い所定のレベル以下（あるいは０レベル）の２段階のレベル低下を判断し、表示可能レベル以下となった際、表示メモリ１５の表示内容を保持し、さらに低い所定のレベル以下となった際、表示メモリ１５の表示内容をクリアし、表示を消すようになっている。
【００１９】
これにより、電車のゆれ等で、無線アンテナ１０に翳している無線カードＡの距離が離れた場合でも、表示が不安定とならず、無線カードＡの内容を見易い状態で表示でき、無線カードＡが確実に離れた際に、表示を消すことができる。
表示器１２は、ＣＰＵ１３が作成した表示用の情報を表示するための装置である。文字や数字を表示（例えば半角４０文字×３行）することができる。
【００２０】
表示メモリ１５は、ＣＰＵ１３が作成した表示用の情報を保持するものであり、
キーボード１４は、無線カードＡの使用者が、任意の情報を入力するために使用するものである。無線カードＡ内の情報を表示するために、キーボード１４からの情報の入力（例えばパスワードや選択肢の選択）を必要とする場合に限って用いられる。よって無線カード表示装置Ｂで、キーボード１４からの情報入力が不要なサービスを提供する場合は、キーボード１４を接続しない構成となる。
【００２１】
無線カード表示装置Ｂは、キーボード１４以外は機構部分がないため、薄型・小型の筐体での構成が可能である。これにより、例えば、図３に示すように、電車内の壁への埋め込み、プラットフォームの構造物への埋め込み、図４に示すように、停留所の案内ポールへの埋め込みなど、電源が供給可能な任意の場所に設置して運用することが可能である。
【００２２】
次に、上記のような構成において、無線カード表示装置Ｂの動作例を、図５を参照しつつ説明する。
利用者が無線カードＡを無線カードリーダライタ１１に接近させると（ＳＴ１）、無線カードリーダライタ１１がこれを検知しＣＰＵ１３に通知する（ＳＴ２）。ＣＰＵ１３は、無線カードリーダライタ１１に対し、無線カードＡの情報を取得する命令を与える（ＳＴ３）。無線カードリーダライタ１１は、無線カードＡに内蔵のＩＣチップ３からデータを読み、ＣＰＵ１３に返す（ＳＴ４）。ＣＰＵ１３は受け取った情報から表示用の情報を作成し、表示メモリ１５に記憶することにより、表示器１２で表示させる（ＳＴ５、６、７、８）。
【００２３】
ここまでの間、利用者は無線カードＡを無線カードリーダライタ１１に接近させたままの状態を保持することで以上の無線カード表示装置Ｂの動作が得られる。
利用者が無線カードＡを無線カードリーダライタ１１から離した時点で（ＳＴ９）、無線カードリーダライタ１１は無線カードＡが離れたことを検知し（ＳＴ１０）、ＣＰＵ１３に通知する（ＳＴ１１）。ＣＰＵ１３は、取得した無線カードＡの情報や表示器１２の表示をクリアし（ＳＴ１２、１３）、次の新たなカード接近まで待機する（ＳＴ１４）。
【００２４】
なお、ＣＰＵ１３は、無線カードリーダライタ１１の無線アンテナ１０による無線カードＡとの無線の電界強度の変化を取り込み、その電界強度のレベルが表示可能レベル以下となったか否かを所定時間（たとえば１秒）ごとに判断し、電界強度のレベルが表示可能レベル以上の際には、表示を保持し、電界強度のレベルが表示可能レベル以下の際には、表示を消す。
これにより、電車のゆれ等で、無線アンテナ１０に翳している無線カードＡの距離が離れた場合でも（所定時間（たとえば１秒）以下のレベル低下）、表示が不安定とならず、無線カードＡの内容を見易い状態で表示できる。
【００２５】
また、別な例として、ＣＰＵ１３は、上記電界強度のレベルが表示可能レベル以下かと、さらに低い所定のレベル以下（あるいは０レベル）かの２段階のレベル低下を判断し、表示可能レベル以下となった際、表示メモリ１５の表示内容を保持し、さらに低い所定のレベル以下となった際、表示メモリ１５の表示内容をクリアし、表示を消す。
【００２６】
これにより、電車のゆれ等で、無線アンテナ１０に翳している無線カードＡの距離が離れた場合でも、表示が不安定とならず、無線カードＡの内容を見易い状態で表示でき、無線カードＡが確実に離れた際に、表示を消すことができる。
【００２７】
次に、無線カード表示装置Ｂのキーボード１４を使用した場合の動作例を、図６を参照しつつ説明する。
たとえば今、無線カードＡを無線カードリーダライタ１１に接近され無線カードＡを無線カードリーダライタ１１に接近され、接続されている状態において、ＣＰＵ１３は、キー情報読込み要求モードとなり（ＳＴ２１）、キーボード１４からのキー入力待ちとなっている（ＳＴ２２）。
【００２８】
この状態により、利用者がキーボード１４によりキー入力操作を行う（ＳＴ２３）。これにより、ＣＰＵ１３は、キーボード１４によるキー入力内容を取り込み、このキー入力内容に基づく処理を行うものである（ＳＴ２４）。
【００２９】
上記動作例の具体例を、図７を参照しつつ説明する。
すなわち、ＣＰＵ１３は、電源スイッチあるいは動作開始キーによる設定に基づいて、初期化を行い（ＳＴ３１）、無線カードＡの無線カードリーダライタ１１への接近待ちの状態となる（ＳＴ３２）。
【００３０】
この状態において、ＣＰＵ１３は、無線カードＡの無線カードリーダライタ１１への接近を判断する（ＳＴ３３）前後のいずれかで、パスワードの入力を表示器１２を用いて案内する（ＳＴ３４、３５）。このパスワードの入力案内に基づいてキーボード１４によりパスワードが入力される。この入力により、ＣＰＵ１３は、内部メモリにあらかじめ記憶されているパスワードと上記入力されたパスワードとを比較し、一致している際に、次の処理選択（例えば情報表示、履歴消去）の入力を表示器１２を用いて案内する。この案内に基づいてキーボード１４により処理が選択される（ＳＴ３６）。この選択により、ＣＰＵ１３は、選択された処理の内容に基づいて、無線カードリーダライタ１１を用いて無線カードＡに内蔵のＩＣチップ３から必要とするデータを読み込み（ＳＴ３７）、この読込んだデータに基づく処理を実行する（ＳＴ３８）。
【００３１】
さらに、ＣＰＵ１３は、この処理の実行に伴った変更内容に基づいて、無線カードリーダライタ１１を用いて無線カードＡに内蔵のＩＣチップ３の対象とするデータを更新する。
【００３２】
また、ＣＰＵ１３は、情報表示の選択（表示項目、例えば入場履歴、所有者情報）を表示器１２を用いて案内する。この案内に基づいてキーボード１４により情報表示が選択される（ＳＴ３９）。この選択により、ＣＰＵ１３は、選択された内容に基づく表示画面を生成し（ＳＴ４０）、表示器１２を用いて表示する（ＳＴ４１）。この際、ＣＰＵ１３は、必要に応じて、無線カードリーダライタ１１を用いて無線カードＡに内蔵のＩＣチップ３から必要とするデータを読み込む。
【００３３】
なお、情報表示の選択（ＳＴ３９’）が、ステップ４０の表示画面の生成の後でも良い。処理の選択（ＳＴ３６’）が、ステップ４１の情報表示の後でも良い。
この後、ＣＰＵ１３は、無線カードＡが無線カードリーダライタ１１から完全に離脱した際に（ＳＴ４２）、表示処理を終了する（ＳＴ４３）。
【００３４】
上述した処理の途中で無線カードＡの記録内容を表示する必要がある際に、ＣＰＵ１３は、無線カードリーダライタ１１の無線アンテナ１０による無線カードＡとの無線の電界強度の変化を取り込み、その電界強度のレベルが表示可能レベル以下となったか否かを所定時間（たとえば１秒）ごとに判断し、電界強度のレベルが表示可能レベル以上の際には、表示を保持し、電界強度のレベルが表示可能レベル以下の際には、表示を消す。
【００３５】
これにより、電車のゆれ等で、無線アンテナ１０に翳している無線カードＡの距離が離れた場合でも（所定時間（たとえば１秒）以下のレベル低下）、表示が不安定とならず、無線カードＡの内容を見易い状態で表示できる。
【００３６】
また、別な例として、ＣＰＵ１３は、上記電界強度のレベルが表示可能レベル以下かと、さらに低い所定のレベル以下（あるいは０レベル）かの２段階のレベル低下を判断し、表示可能レベル以下となった際、表示メモリ１５の表示内容を保持し、さらに低い所定のレベル以下となった際、表示メモリ１５の表示内容をクリアし、表示を消す。
【００３７】
これにより、電車のゆれ等で、無線アンテナ１０に翳している無線カードＡの距離が離れた場合でも、表示が不安定とならず、無線カードＡの内容を見易い状態で表示でき、無線カードＡが確実に離れた際に、表示を消すことができる。
【００３８】
上記したように、無線カード表示装置を、任意の場所（例えば車内、プラットフォーム、停留所）に設置することにより、これまで自動改札機、自動券売機、自動精算機といった機器を通してしか参照することができなかった無線カード内蔵ＩＣチップに保存されている情報が簡便に参照できる。
【００３９】
この無線カード表示装置は、無線カードを無線カードリーダライタに接近させている間だけ情報を表示する。従って、参照が終わり無線カードを無線カードリーダライタから離した以降は情報は表示されず、それ以降無線カード所持者以外の人が表示を盗み見ることはできない。
【００４０】
この無線カード表示装置へキーボードを付加することにより、無線カード使用のためのパスワードを利用者に入力させることが可能となる。これにより、無線カードの所有者だけが無線カードに内蔵のＩＣチップに保存されている情報を参照することができ、無線カードの盗難による情報の漏洩を防ぐことができる。
また、キーボードを使うことにより、無線カード表示装置で提供可能な複数のサービスから目的のものを利用者が選択できる。
【００４１】
【発明の効果】
以上詳述したようにこの発明によれば、移動車両に設置される無線カード表示装置において、無線カードとの距離が安定しない場合であっても、無線カードの内容を見易い状態で表示できる。
【図面の簡単な説明】
【図１】この発明に係る無線カードの概略構成を示す図。
【図２】無線カード表示装置の概略構成を示す図。
【図３】無線カード表示装置の設置例を示す図。
【図４】無線カード表示装置の設置例を示す図。
【図５】無線カード表示装置の動作例を示す図。
【図６】無線カード表示装置の動作例を示す図。
【図７】無線カード表示装置の概略構成を示す図。
【符号の説明】
Ａ…無線カード、Ｂ…無線カード表示装置、…、２…通信アンテナ、３…ＩＣチップ、４…ＣＰＵ、５…メモリ部、６…通信制御回路、１０…無線アンテナ、１１…無線カードリーダライタ、１２…表示器、１３…ＣＰＵ１３、１５…表示メモリ。
【図１】
2004213086.tif 000003
【図２】
2004213086.tif 000004
【図３】
2004213086.tif 000005
【図４】
2004213086.tif 000006
【図５】
2004213086.tif 000007
【図６】
2004213086.tif 000008
【図７】
2004213086.tif 000009